(57)【要約】【課題】  母豚の足元へ風を送風することにより仔豚の圧死を防止するにあたり、風吹出口からの風が仔豚授乳育成補助室へ拡散することなく、仔豚は仔豚授乳育成補助室において常時風を受けることなくストレスを回避するようにする。【解決手段】  風の風速を風吹出口位置での風速を１５ｍ／秒以上、豚棒後部では１ｍ／秒以上でとして、母豚の前足幅及び後足幅の間隙を直線状に貫通させるようにし、母豚の左右前後動作を規制してその姿勢を常時略一定にする。更に、上記母豚の犬座に合わせてセンサー位置を設定し、母豚の起立状態のみならず犬座状態においても、誤動作なく風吹出口からの風をオンにするようにした。【選択図】図３
2011055822.tif 000002
【特許請求の範囲】
【請求項１】
母豚を飼育する分娩豚房と、その左右側又は一側に設けた子豚授乳育成補助室と、前記分娩豚房の前部中央に設けて分娩豚房の中央ラインに沿って後方へ送風するように設けた風吹出口と、起立姿勢における母豚の左右動作を規制して中央ラインをまたぐ母豚の前足間と後足間の幅を一定に確保するように母豚体両側に沿って近接させた左右中央に平行な分娩豚房枠とから構成され、前記風吹出口からの風が仔豚授乳育成補助室へ拡散しないよう分娩豚房の中央ラインに沿う前記母豚の前足間及び後足間に直線状に貫通させるように風吹出口位置での風速を１５ｍ／秒以上、豚房後部では１ｍ／秒以上とした子豚圧死防止装置付分娩豚房。
【請求項２】
各種母豚の体長に合わせて分娩豚房内での母豚の前後動作を規制する尻止調整具を設けると共に、母豚の犬座時の前足と後足の上方範囲であって、起立時の母豚体の略上下水平中心線の範囲内であって母豚の伏臥状態の背のラインより上部の水平方向に対してセンサーの感知ラインを設定するようにした請求項１に記載の子豚圧死防止装置付分娩豚房。
【発明の詳細な説明】
【発明の詳細な説明】
【技術分野】
【０００１】  本発明は、分娩豚房などにおいて母豚の伏臥時に足元の子豚を踏みつけて圧死させることがないようにした子豚圧死防止装置付分娩豚房であって、仔豚が風を嫌う習性を利用して母豚の起立及び犬座時に母豚の足元へ風を送ることにより仔豚を母豚の足元及び腹部下部から退避させるようにした子豚圧死防止装置付分娩豚房に関するものである。
【発明の背景】
【０００２】  一般に養豚農家においては、母豚が産後子豚に授乳をするため、母豚と子豚とを同じ分娩豚房で飼育している。この際、母豚が豚房前部の餌箱の餌を立って食べた後又は用便後、子豚への授乳のためなど伏臥しようとするときに、母豚の足元にまだ乳を求める子豚がいてそこに誤って伏臥して圧死させるケースが多発し、そのため豚の生産効率が著しく低減することが知られている。特に、仔豚は生理的、肉体的に未熟で生後５日齢までの死亡事故が多く、その原因の多くが圧死である。そのため、従来から種々の子豚圧死防止対策が採用されてきた。
【０００３】  例えば、
▲１▼生まれたばかりの子豚が物の裏側へ隠れる習性を利用して、母豚の分娩室と外側の子豚用補助室との間にのれん式カーテンを設けて、そのカーテンの裏側（子豚用補助室）に子豚が隠れるようにしたもの（特許文献１、特許文献２）。
▲２▼分娩豚房の両側の支柱に上下動可能な摺動部を設け、母豚が伏臥行動に入ったとき、母豚がこの摺動部に引っかかり、時間かけて横臥させることにより、その間に子豚を退避させるようにしたもの（特許文献３、特許文献４、）。
▲３▼分娩室の床を非通気性材で、子豚収容室の床を通気性材で構成して、夏季に圧死が多いことから、暑い時期に子豚収容室の環境を分娩室より子豚が好む環境にすることにより、授乳後の子豚が分娩室にいつまでも残らないようにしたもの（特許文献５）等。
【０００４】  しかしながら、上記いずれの技術も子豚の圧死を確実に防止することが出来ず、その後種々の研究がなされ、子豚が風を忌避する性質があることから、送風による圧死防止装置の開発が進められてきた。
【背景技術】
【０００５】  従来、例えば特許文献６には、「分娩枠の一側中央部の親豚の背高よりやや低い位置に設けてあるスイッチの柄部と、他側の対向位置に伸縮性ロープを繋着張設し、更にスイッチと分娩枠の後方に設置してある送風機を接続してなる子豚の圧死防止装置」が記載されている。【０００６】  しかしながら、この特許文献６においては、風が母豚の前足及び後足にあたって仔豚方向へ流され、仔豚はこの風を回避することができず風を受けたまま放置される。幼若な子豚にとって母豚の乳から離れ、風を受けたまま放置されることはかなりのストレスがたまり過酷である。特に、仔豚のストレスはその後の養育に大きな影響をおよぼすことにもなる。また、この装置においては母豚の犬座を考慮しておらず、母豚の犬座時に母豚の後足と脇腹付近に風の死角が形成されてここに仔豚が好んで集まる習性があるため、母豚が犬座から伏臥するとかえってそこで仔豚の圧死を招くことになる。【０００７】  また、特許文献７には、「分娩枠に親豚の起伏姿勢に応じて回動又は伸縮する姿勢検知部材を備える検知部を設けるとともに、親豚の起き状態の検知部材の伸縮または回動に応じて作動する送風ファンを起き状態の親豚のほぼ腹の下部位置に向けたことを特徴とする子豚圧死防止装置」、また、特許文献８には「豚の分娩枠の上段部に下向きに設置されたスイッチとそのスイッチに揺動自在な棒が突き出し、棒が横に折れると、スイッチがオン、真すぐ下向きの時は、スイッチがオフとなるリミットスイッチ又はマイクロスイッチと、分娩枠の後部柵の外部より内側に向けた送風機と、リミットスイッチ又はマイクロスイッチと送風機の中間に配置された電灯と、リミットスイッチ又はマイクロスイッチを保持し、高さを調整する装置とから構成された子豚圧死防止機」が記載されている。【０００８】  しかしながら、この特許文献７においても、風が母豚の前足及び後足にあたって仔豚方向へ流され、仔豚はこの風を回避することができず風を受けたまま放置される。また、この装置においても母豚の犬座状態を考慮していない。更に、スイッチ構造が複雑であり、棒状の揺動物では母豚が強く接触することによる折れ曲がり等の破損が生じやすく、母豚の動きを正確に検知するとができなくなる。【０００９】  また、特許文献９〜１３には、「豚の分娩枠に取付けて使用し、或いは分娩枠を構成する要素となる機器において、枠内に立っている雌豚の乳房と床の間である枠の下方部へ空気を吹き送る手段、並びに枠内に雌豚が立っていることを検知する手段及び雌豚が立っていることを検知したときだけ枠内へ空気を送らせる検知器に応じて空気を吹き送る手段を有することを特徴とした仔豚の圧死防止方法」が記載されている。【００１０】  しかしながら、これら特許文献９〜１３においては、分娩枠の側部に設ける管の風を噴出す穴が母豚の腹下部のみならず、横方向から仔豚方向にもまともに風が向けられるため、仔豚はこの風を回避することができず風を受けたまま放置される。また、風を母豚の横方向、後方向、斜め方向から当てると、後足と脇腹の付近に風の死角が形成され、ここに仔豚が好んで集まり、風を送ることによりかえって圧死事故が多発してしまう。また、上記噴出穴を形成する管が母豚の側部に近接しているため母豚が接触して壊され易い。更に、この装置においても母豚の犬座状態を考慮していないため、母豚が犬座の癖がある場合は特に母豚の後足と脇腹付近に風の死角が形成されてここに仔豚が好んで集まる習性があるため、母豚が犬座から伏臥するとかえってそこで仔豚の圧死を招くことになる。【００１１】  また、特許文献１４には、「親豚を収容可能な内柵の少なくとも一側に、仔豚を収容する外柵を連接するとともに、互いの柵の境界に、仔豚のみが両柵内へ出入り自由な仕切りを設け、かつ親豚の足元に風を送る送風手段を設けたことを特徴とする仔豚の圧死防止機能を備える養豚装置」が記載されている。【００１２】  そして、この公報の段落００１７において、「吹出し口１３からでた風は、内柵５の略中央で、かつ親豚Ａの足元を通って後方に向かって真直ぐに送られ、外柵６に拡散することがない」旨説明されている。しかしながら、この装置においては、吹出し口からの風が、特に弱過ぎた場合、風が仔豚授乳育成補助室側へ拡散されるか、母豚の両足に当たりそれが仔豚授乳育成補助室側へ飛散される。そして、仔豚はこの風を回避することができず、仔豚用保温室へ逃げ込むか、逃げ場がない場合は、仔豚授乳育成補助において風を受けたまま放置される。また、この装置においては、母豚の犬座状態を考慮しておらず、母豚が犬座の癖がある場合は特に母豚の後足と脇腹付近に風の死角が形成されて、その部分に風が十分送風されず、母豚が犬座から伏臥するとそこで仔豚の圧死を招くことになる。【００１３】
【先行技術文献】
【特許文献】
【特許文献】特許文献１  特開２００１−００００６４号公報、特許文献２  特開２００１−０４５９００号公報  特許文献３  実公平７−００１９６６号公報  特許文献４  実公平２−０７３９５１号公報  特許文献５  実開昭６１−１４８１６７号公報  特許文献６  実開昭６１−１１８２４０号公報  特許文献７  実開昭６１−０７４３６２号公報  特許文献８  実開昭６１−１３１７５７号公報  特許文献９  実開昭５８−２１２７３０号公報  特許文献１０実開昭６０−０２８８５５号公報  特許文献１１実開昭６２−１１１３６２号公報  特許文献１２実開昭６３−１４３１５０号公報  特許文献１３実開昭６４−０４１２５７号公報  特許文献１４特開平０６−０１４６７１号公報
【発明が解決しようとする課題】
【００１４】  本発明は、仔豚を母豚の足元から退避させる場合に、風吹出口からの風が仔豚補助室側へ拡散されることなく、または風が母豚の前足及び後足にあたって仔豚補助室側へ飛散されることもなく、仔豚は仔豚授乳育成補助室において風を受けることなく風によるストレスを回避できるようにする。そして、風吹出口位置での風速を１５ｍ／秒以上、豚棒後部では１ｍ／秒以上でとして、母豚の前足間及び後足間を直線状に貫通させるようにする。そのため、母豚の左右動を規制して、母豚の前足間及び後足間の幅を常時一定に保持する。更に、母豚の豚房内での前後動を尻止調整具により規制すると共に、母豚の犬座状態において母豚の後足と脇腹内に風を送風して、その部分に集まる仔豚の圧死自己を防止するようにした母豚による破損を生じることのない子豚圧死防止装置付分娩豚房を提供することを課題とする。
【課題を解決する手段】
【００１５】  請求項１の発明は、母豚を飼育する分娩豚房と、その左右側又は一側に設けた子豚授乳育成補助室と、前記分娩豚房の前部中央に設けて分娩豚房の中央ラインに沿って後方へ送風するように設けた風吹出口と、起立姿勢における母豚の左右動作を規制して中央ラインをまたぐ母豚の前足間と後足間の幅を一定に確保するように母豚体側に沿って近接させた左右分娩豚房枠とから構成され、前記風吹出口からの風が仔豚授乳育成補助室へ拡散しないよう分娩豚房の中央ラインに沿う前記母豚の前足間及び後足間に直線状に貫通させるように風吹出口位置での風速を１５ｍ／秒以上、豚棒後部では１ｍ／秒以上でとした子豚圧死防止装置付分娩豚房を提供するものである。
【００１６】  この発明においては、母豚の足元に風を送って仔豚の圧死を防止するにあたり、風が仔豚授乳育成補助室へ拡散して、仔豚は仔豚授乳育成補助室において風を受けることないので、子豚は風によるストレスを回避することができる。また、風の風速を風吹出口位置での風速が１５ｍ／秒以上、豚棒後部では１ｍ／秒以上としたので、風を母豚の前足間及び後足間へ直線状に貫通させることができ、風が母豚の前足及び後足にあたって仔豚授乳育成補助室へ拡散されない。更に、起立姿勢における母豚の左右動作を規制して母豚の前足間と後足間の幅を一定に確保するように母豚体側に沿って近接させた左右分娩豚房枠を設けているので、風吹出口からの風を母豚の前足間及び後足間へ直線状に貫通させることができる。
【００１７】  請求項２の発明は、各種母豚の体長に合わせて分娩豚房内での母豚の前後動作を規制する尻止調整具を設けると共に、母豚の犬座時の前足と後足の上方範囲であって、起立時の母豚体の上下水平中心線の範囲内であって母豚の伏臥状態の背のラインより上部の水平方向に対してセンサーの感知ラインを設定するようにした請求項１に記載の子豚圧死防止装置付分娩豚房を提供するものである。
範囲内水平方向に
【００１８】  この発明においては、尻止調整具により分娩豚房枠後方において母豚の前後動作を常時一定に規制すると共に、母豚の犬座時の前足と後足の上方範囲であって、起立時の母豚体の上下水平中心線の範囲内の水平方向に対してセンサーの感知ラインを設定するようにして、母豚の犬座状態において母豚の後足と脇腹内に風を送風して、その部分に集まる仔豚の圧死自己を防止することができる。
【発明を実施するための形態】
【００１９】  次に、本発明の一実施例を図面に基づき詳細に説明する。図１及び図２は、子豚圧死防止装置付分娩豚房１の平面図及び側面図を示している。
【００２０】  分娩豚房１は、脚２をもって地面３より適宜高さに支持された金網製の水平な床４と、平面が前後方向（図１の上方が前方）に長い直方形を成すように、床４上に立設された母豚Ａ収容用の内柵５、８・・・、８ａ、８ａによって分娩室Ｏを構成し、分娩室Ｏの両側に連続するように床４上に立設された平面直方形の仔豚Ｂ収容用の外柵６によって仔豚授乳育成補助室Ｐを構成している。
【００２１】  また、図１、図２、図４、図５に示す如く、中央水平な分娩豚房枠８ａ、８ａの左右幅Ｑ及び高さＳは、母豚Ａの体幅Ｑ‘及び上下水平中心線Ｒの高さＳ’に略近似するように設計しており、左右の分娩豚房枠８ａ、８ａで母豚の起立姿勢状態の左右動作を規制すると共に、図３に示すように、母豚Ａが起立した状態で母豚Ａの前足Ａ１、Ａ１と後足Ａ２，Ａ２との位置及び前足Ａ１、Ａ１の間と、後足Ａ２、Ａ２の間との幅Ｘ、Ｙ（通常約１５ｃｍ〜２０ｃｍ）を常時略一定に確保するようにしている。上記分娩豚房枠８ａ、８ａは母豚の体幅Ｑ’に常時接触しなければならないほど正確な幅でなくても、上記は母豚の起立時の前足及び後足の幅Ｘ、Ｙが略確保できる程度でよい。
【００２２】  下段の分娩豚房枠８、８は、適数個の傾斜状仕切扞９を適宜の間隔を持って形成している。この傾斜状仕切扞９は母豚が伏臥したときに乳房のある腹部がこの傾斜に沿うようになり仔豚は乳を吸いやすくなる（写真４参照）。この仕切扞９が垂直であると腹部に垂直方向から当接して腹部が自然傾斜した形にならない。下段の分娩豚房枠８、８と仕切扞９を設けることにより、仔豚Ｂ・・・は分娩豚房枠８、８内の分娩室Ｏと仔豚授乳育成補助室Ｐとを自由に行き来できる。
【００２３】  分娩室０の前面には、取手１０を備える餌箱１１が着脱自在に装着され、また、落とし込み式のゲート１２が上方へ引き抜き可能に装着されている。
【００２４】  分娩室０の略中央であって、かつ餌箱１１の下方には、分娩豚房枠８ａ、８ａと平行な筒状風吹出口１３が固定され、この筒状風吹出口１３は着脱自在な蛇腹管１４を介して適宜箇所（内柵や外柵等）に架設可能なブロア１５に接続されている（写真１、２参照）。この筒状風吹出口１３は直線状の風を得るために内径（直径）が１〜１０ｃｍ、好ましくは３〜８ｃｍ、長さが１０〜５０ｃｍ、好ましくは２０〜３０ｃｍの筒状としている。
【００２５】  このようにして、筒状風吹出口１３に対し、蛇腹管１４とブロア１５とにより、母豚Ａの足元に風を送る送風手段１６を分娩豚房１に着脱自在に構成している。これにより、複数の分娩豚房１・・・において、送風手段が必要な豚房のみに自由に移設するこができ、全ての分娩豚房１・・・に送風手段１６・・・を常設する必要がなく、送風手段の設備費用が節減できる。
【００２６】  図２及び図４〜７に示すように、１７はセンサーであって、母豚Ａが起立又は犬座したことを検知して送風手段１６の送風をオンにし、母豚Ａが伏臥したことを検知して送風手段１６の送風をオフとさせるものである。このセンサー１７は、図４に示すように、母豚Ａの犬座時の前足Ａ１、Ａ１と後足Ａ２、Ａ２の上方範囲Ｆであって、起立時の母豚体の上下水平中心線Ｒの範囲領域Ｖ（中心線範囲幅約１５ｃｍ）の水平方向であって母豚Ａの伏臥状態の背のラインＵより上部に対してセンサーの感知ラインＬ（図１）を設定するようにしている。この時、図５に示す如く、センサー１７の感知ラインＬが母豚Ａの上下水平中心線Ｒの水平方向にあるときは母豚Ａの略垂直な横腹に直角にあるため誤動作しない。ところが、図６に示す如く、センサー１７の感知ラインＬ‘が母豚Ａの背又は腹の傾斜面に対するときは感知ラインが他方へ反射して頻繁に誤動作する。このように、母豚の起立状態のみならず、犬座状態においても誤動作なくこれを検知して送風手段１６の送風をオンにすることができ、母豚の犬座状態において母豚の後足と脇腹内に風を送風して、その部分に集まる仔豚の圧死自己を防止することができる。
【００２７】  また、尻止調整具１９（写真５、６参照）を矢印方向〔図１、２〕に調整することにより分娩豚房枠８ａ、８ａ後方において母豚Ａの前後動作を常時一定に規制して、体長の異なる母豚Ａの伏臥及び犬座時におけるセンサーの感知ラインＬを正確に設定できることにより検知位置を確実にする。そして、母豚Ａの伏臥状態（写真４参照）において誤動作なく風吹出口からの風をオフにし、起立状態（写真３、６参照）及び犬座状態（写真５参照）においても、誤動作なく風吹出口からの風の送風をオンにすることができる。
【００２８】  次に、この実施例の作用について説明する。メインスイッチ（図示省略）をオンにしたとき母豚Ａが起立若しくは犬座していると、センサー１７がそれを検知し、ブロア１５が作動して風吹出口１３より風が母豚Ａの足元へ送風される。
【００２９】  この際、風吹出口１３はから出た風の方向は、図３に示されるように、分娩豚房１の中央ラインＣに沿って、かつ母豚Ａの前足Ａ１、Ａ１の間及び後足Ａ２、Ａ２の間を通って後方へ直線状（斜線範囲Ｊで示す）となる。しかしながら、風吹出口１３からの風速が弱いと風が仔豚授乳育成補助室Ｐ側へ拡散するか、または風が母豚の前足Ａ１、Ａ１及び後足Ａ２、Ａ２にあたって仔豚授乳育成補助室Ｐへ飛散（仮想線Ｋ・・・で示す）する。仔豚はこの風を回避することができず、仔豚用保温室１８へ逃げ込むか、逃げ場がない場合は、仔豚授乳育成補助室Ｐにおいて風を受けたまま放置される。
【００３０】  したがって、風吹出口１３からの風の風速を風吹出口位置での風速を２０ｍ／秒以上、豚房後端で１ｍ／秒以上にすることにより前足間及び後足間で風の直線状傾斜線領域Ｊを維持することができ、風吹出口からの風が仔豚授乳育成補助室Ｐへ拡散することなく、風が母豚Ａの前足Ａ１、Ａ１及び後足Ａ２、Ａ２に当たって仔豚授乳育成補助室Ｐへ飛散しない。風吹出口位置での風の風速は１５〜５０ｍ／秒の範囲が好ましい。１５ｍ／秒より弱いと、風が仔豚授乳育成補助室Ｐへ拡散されるか、または風が母豚の前足Ａ１、Ａ１及び後足Ａ２、Ａ２にあたって仔豚授乳育成補助室Ｐへ飛散される。また、５０ｍ／秒より強いと母豚Ａの腹に刺激が強くなり過ぎる。
【００３１】  第１表及び第２表は、風により母豚の足元より仔豚が退避した最適な実施例であり、図８における分娩豚房１の中央ラインＣにおける直線に沿った各位置▲１▼〜▲８▼及び仔豚授乳育成補助室Ｐの各位置（Ａ）〜（Ｆ）における風速を測定した結果である。これらの結果を第１表及び第２表に示す。各々（ａ）は母豚のいない状態、（ｂ）は分娩豚房、（ｃ）は他の分娩豚房における各位置の風速（ｍ／秒）を示す。
【００３２】
2011055822.tif 000003
【００３３】  使用される分娩豚房の長さは２１０ｃｍで、第１表の結果から、風噴出口位置での風速は２５〜２７ｍ／秒であり、この風噴出口位置での風速は１５〜５０ｍ／秒が許容できるものと考えられる。この風噴出口位置での風速が１５ｍ／秒未満となると仔豚の集まる位置▲４▼〜▲６▼（風噴出口位置から１００〜１８０ｃｍ）での風速が１ｍ／秒未満になり易く、仔豚Ｂが退避せず、風噴出口位置での風速が５０ｍ／秒を超えると仔豚の集まる位置▲４▼〜▲６▼での風速が１０ｍ／秒を超え、風速が必要以上に速くなりすぎて無駄な電力を消費する。この実験で仔豚Ｂ・・・の集まる母豚Ａの腹部▲４▼〜▲６▼あたりの風速は現実的には約２〜７ｍ／秒であり、仔豚Ｂ・・・が退避するのに適切な風速であると考えられる。仔豚の集まる位置▲４▼〜▲６▼では３〜６ｍ／秒程度がより適切であると考えられるが、本発明におけるこの位置▲４▼〜▲６▼での風速は１〜１０ｍ／秒まで許容できるものと考えられる。１ｍ／秒未満では風速が弱すぎて仔豚は退避せず、風速が１０ｍ／秒を超えると風速が必要以上に速くなりすぎて無駄な電力を消費する。
【００３４】
2011055822.tif 000004
【００３５】  第２表の結果から、風噴出口位置に相当する仔豚授乳育成補助室Ｐでは、風が分娩豚房１の中央ラインＣに沿って直線状であるため０ｍ／秒で、風の影響は殆どない。仔豚授乳育成補助室Ｐの母豚体長中央あたりの風速は０．２ｍ／秒〜０．３ｍ／秒程度で、仔豚にはあまり影響はないものと考えられる。分娩豚房最後端０．５ｍ／秒〜０．８ｍ／秒程度であっても、仔豚はそこに殆どいることはないためこの風の影響はない。
【００３６】  尚、風吹出口１３からの風の温度は通常常温であるが、寒い冬季などでは約１８℃〜３２℃に温度調整装置により調整した風を送風することにより、母豚Ａの授乳活動や冷え腹帽子に配慮することもできる。
【００３７】  また、尻止調整具１９（写真５、６参照）により分娩豚房１の後方（母豚の尻部）で、各種体長の異なる母豚の前後動作を常時一定に規制して、母豚Ａの起立及び犬座時、一定位置のセンサー１７により確実に検知する。尻止調整具１９は母豚Ａの体長に合わせて、センサー１７との距離を矢印方向に調整するものであるが、通常センサー１７と尻止調整具１９との距離Ｚは約３０〜８０ｃｍである。好ましくは４０〜６０ｃｍである。尚、尻止調整具１９を母豚Ａの尻部に近接させていても、母豚Ａが餌箱１１に頭を突っ込んでいる時は尻止調整具１９と尻部とは頭分だけ離れているが、餌箱１１に頭を突っ込んだまま伏臥又は犬座することはできないのでこの分でセンサー位置が変化することはない。
【発明の効果】
【００３８】  本発明においては、母豚の足元に風を送って仔豚の圧死を防止するにあたり、風吹出口位置での風速を１５ｍ／秒以上、豚棒後部では１ｍ／秒以上でとしたので、風を母豚の前足間及び後足間へ直線状に貫通させることができ、風が仔豚授乳育成補助室へ拡散したり、風が母豚の前足及び後足にあたって仔豚授乳育成補助室へ拡散されない。したがって、仔豚は仔豚授乳育成補助室において風の影響を受けることないので、子豚は風によるストレスを回避することができる。更に、起立姿勢における母豚の左右動作を規制して母豚の前足間と後足間の幅を一定に確保するように母豚体側に沿って近接させた左右分娩豚房枠を設けているので、風吹出口からの風を母豚の前足間及び後足間へ直線状に貫通させることができる。
【００３９】  また、尻止調整具により分娩豚房枠後方において母豚の前後動作を常時一定に規制すると共に、母豚の犬座時の前足と後足の上方範囲であって、起立時の母豚体の上下水平中心線の範囲内の水平方向に対してセンサーの感知ラインを設定するようにしたので、母豚の犬座状態において母豚の後足と脇腹内に風を送風して、その部分に集まる仔豚の圧死自己を防止することができる。
【図面の簡単な説明】
【００４０】
【図１】  本発明の一実施例を示す分娩豚房の平面図
【図２】  図１のＩＩ−ＩＩ線概略断面図
【図３】  風吹出口からの風の方向を示す説明図
【図４】  起伏時と犬座時におけるセンサー位置の説明図
【図５】  中央水平な分娩豚房枠幅と母豚の体幅を示す説明図
【図６】  センサーの感知ラインが母豚の横腹に直角である説明図
【図７】  センサーの感知ラインが母豚の背又は腹の傾斜面にある説明図
【図８】  分娩室及び仔豚授乳育成補助室の風速測定位置を示す説明図
【写真１】
分娩豚棒前方からの蛇腹管を外した筒状風吹出口を示す写真
【写真２】
風吹出口に蛇腹を介してブロアに連接した送風手段
【写真３】
分娩豚房内における母豚の起立状態を示す写真
【写真４】
分娩豚房内における母豚の伏臥状態（授乳状態）を示す写真
【写真５】
分娩豚房内における母豚の犬座状態を示す写真
【写真６】
尻止調整具により母豚の前後動作を規制した状態を示す写真
１        分娩豚房
８ａ、８ａ分娩豚房枠
１３        風吹出口
１９        尻止調整具
Ａ          母豚
Ｂ・・・    仔豚
Ａ１、Ａ１  前足
Ａ２、Ａ２  後足
Ｃ          中央ライン
Ｊ          直線状傾斜線範囲
Ｘ          前足幅
Ｙ          後足幅
Ｌ          センサーの感知ライン
Ｆ          犬座畤の前足と後足の上方範囲
Ｐ          仔豚授乳育成補助室
Ｓ          分娩豚房枠の高さ
Ｒ          母豚の上下水平中心線
Ｔ          母豚体の起立時の上下水平中心線の範囲領域
Ｕ          伏臥状態の母豚の背のライン
Ｖ          起立時の母豚体の上下水平中心線の範囲領域
【図１】
2011055822.tif 000005
【図２】
2011055822.tif 000006
【図３】
2011055822.tif 000007
【図４】
2011055822.tif 000008
【図５】
2011055822.tif 000009
【図６】
2011055822.tif 000010
【図７】
2011055822.tif 000011
【図８】
2011055822.tif 000012
2011055822.tif 000013
2011055822.tif 000014
2011055822.tif 000015
2011055822.tif 000016
2011055822.tif 000017
2011055822.tif 000018
【手続補正書】
【提出日】平成21年11月16日(2009.11.16)
【手続補正２】
【補正対象書類名】明細書
【補正対象項目名】全文
【補正方法】変更
【補正の内容】
【発明の詳細な説明】
【発明の詳細な説明】
【技術分野】
【０００１】  本発明は、分娩豚房などにおいて母豚の伏臥時に足元の子豚を踏みつけて圧死させることがないようにした子豚圧死防止装置付分娩豚房であって、仔豚が風を嫌う習性を利用して母豚の起立及び犬座時に母豚の足元へ風を送ることにより仔豚を母豚の足元及び腹部下部から退避させるようにした子豚圧死防止装置付分娩豚房に関するものである。
【発明の背景】
【０００２】  一般に養豚農家においては、母豚が産後子豚に授乳をするため、母豚と子豚とを同じ分娩豚房で飼育している。この際、母豚が豚房前部の餌箱の餌を立って食べた後又は用便後、子豚への授乳のためなど伏臥しようとするときに、母豚の足元にまだ乳を求める子豚がいてそこに誤って伏臥して圧死させるケースが多発し、そのため豚の生産効率が著しく低減することが知られている。特に、仔豚は生理的、肉体的に未熟で生後５日齢までの死亡事故が多く、その原因の多くが圧死である。そのため、従来から種々の子豚圧死防止対策が採用されてきた。
【０００３】  例えば、
▲１▼生まれたばかりの子豚が物の裏側へ隠れる習性を利用して、母豚の分娩室と外側の子豚用補助室との間にのれん式カーテンを設けて、そのカーテンの裏側（子豚用補助室）に子豚が隠れるようにしたもの（特許文献１、特許文献２）。
▲２▼分娩豚房の両側の支柱に上下動可能な摺動部を設け、母豚が伏臥行動に入ったとき、母豚がこの摺動部に引っかかり、時間かけて横臥させることにより、その間に子豚を退避させるようにしたもの（特許文献３、特許文献４、）。
▲３▼分娩室の床を非通気性材で、子豚収容室の床を通気性材で構成して、夏季に圧死が多いことから、暑い時期に子豚収容室の環境を分娩室より子豚が好む環境にすることにより、授乳後の子豚が分娩室にいつまでも残らないようにしたもの（特許文献５）等。
【０００４】  しかしながら、上記いずれの技術も子豚の圧死を確実に防止することが出来ず、その後種々の研究がなされ、子豚が風を忌避する性質があることから、送風による圧死防止装置の開発が進められてきた。
【背景技術】
【０００５】  従来、例えば特許文献６には、「分娩枠の一側中央部の親豚の背高よりやや低い位置に設けてあるスイッチの柄部と、他側の対向位置に伸縮性ロープを繋着張設し、更にスイッチと分娩枠の後方に設置してある送風機を接続してなる子豚の圧死防止装置」が記載されている。【０００６】  しかしながら、この特許文献６においては、風が母豚の前足及び後足にあたって仔豚方向へ流され、仔豚はこの風を回避することができず風を受けたまま放置される。幼若な子豚にとって母豚の乳から離れ、風を受けたまま放置されることはかなりのストレスがたまり過酷である。特に、仔豚のストレスはその後の養育に大きな影響をおよぼすことにもなる。また、この装置においては母豚の犬座を考慮しておらず、母豚の犬座時に母豚の後足と脇腹付近に風の死角が形成されてここに仔豚が好んで集まる習性があるため、母豚が犬座から伏臥するとかえってそこで仔豚の圧死を招くことになる。【０００７】  また、特許文献７には、「分娩枠に親豚の起伏姿勢に応じて回動又は伸縮する姿勢検知部材を備える検知部を設けるとともに、親豚の起き状態の検知部材の伸縮または回動に応じて作動する送風ファンを起き状態の親豚のほぼ腹の下部位置に向けたことを特徴とする子豚圧死防止装置」、また、特許文献８には「豚の分娩枠の上段部に下向きに設置されたスイッチとそのスイッチに揺動自在な棒が突き出し、棒が横に折れると、スイッチがオン、真すぐ下向きの時は、スイッチがオフとなるリミットスイッチ又はマイクロスイッチと、分娩枠の後部柵の外部より内側に向けた送風機と、リミットスイッチ又はマイクロスイッチと送風機の中間に配置された電灯と、リミットスイッチ又はマイクロスイッチを保持し、高さを調整する装置とから構成された子豚圧死防止機」が記載されている。【０００８】  しかしながら、この特許文献７においても、風が母豚の前足及び後足にあたって仔豚方向へ流され、仔豚はこの風を回避することができず風を受けたまま放置される。また、この装置においても母豚の犬座状態を考慮していない。更に、スイッチ構造が複雑であり、棒状の揺動物では母豚が強く接触することによる折れ曲がり等の破損が生じやすく、母豚の動きを正確に検知するとができなくなる。【０００９】  また、特許文献９〜１３には、「豚の分娩枠に取付けて使用し、或いは分娩枠を構成する要素となる機器において、枠内に立っている雌豚の乳房と床の間である枠の下方部へ空気を吹き送る手段、並びに枠内に雌豚が立っていることを検知する手段及び雌豚が立っていることを検知したときだけ枠内へ空気を送らせる検知器に応じて空気を吹き送る手段を有することを特徴とした仔豚の圧死防止方法」が記載されている。【００１０】  しかしながら、これら特許文献９〜１３においては、分娩枠の側部に設ける管の風を噴出す穴が母豚の腹下部のみならず、横方向から仔豚方向にもまともに風が向けられるため、仔豚はこの風を回避することができず風を受けたまま放置される。また、風を母豚の横方向、後方向、斜め方向から当てると、後足と脇腹の付近に風の死角が形成され、ここに仔豚が好んで集まり、風を送ることによりかえって圧死事故が多発してしまう。また、上記噴出穴を形成する管が母豚の側部に近接しているため母豚が接触して壊され易い。更に、この装置においても母豚の犬座状態を考慮していないため、母豚が犬座の癖がある場合は特に母豚の後足と脇腹付近に風の死角が形成されてここに仔豚が好んで集まる習性があるため、母豚が犬座から伏臥するとかえってそこで仔豚の圧死を招くことになる。【００１１】  また、特許文献１４には、「親豚を収容可能な内柵の少なくとも一側に、仔豚を収容する外柵を連接するとともに、互いの柵の境界に、仔豚のみが両柵内へ出入り自由な仕切りを設け、かつ親豚の足元に風を送る送風手段を設けたことを特徴とする仔豚の圧死防止機能を備える養豚装置」が記載されている。【００１２】  そして、この公報の段落００１７において、「吹出し口１３からでた風は、内柵５の略中央で、かつ親豚Ａの足元を通って後方に向かって真直ぐに送られ、外柵６に拡散することがない」旨説明されている。しかしながら、この装置においては、吹出し口からの風が、特に弱過ぎた場合、風が仔豚授乳育成補助室側へ拡散されるか、母豚の両足に当たりそれが仔豚授乳育成補助室側へ飛散される。そして、仔豚はこの風を回避することができず、仔豚用保温室へ逃げ込むか、逃げ場がない場合は、仔豚授乳育成補助において風を受けたまま放置される。また、この装置においては、母豚の犬座状態を考慮しておらず、母豚が犬座の癖がある場合は特に母豚の後足と脇腹付近に風の死角が形成されて、その部分に風が十分送風されず、母豚が犬座から伏臥するとそこで仔豚の圧死を招くことになる。
【先行技術文献】
【００１３】
【特許文献】
【特許文献】特許文献１  特開２００１−００００６４号公報、特許文献２  特開２００１−０４５９００号公報  特許文献３  実公平７−００１９６６号公報  特許文献４  実公平２−０７３９５１号公報  特許文献５  実開昭６１−１４８１６７号公報  特許文献６  実開昭６１−１１８２４０号公報  特許文献７  実開昭６１−０７４３６２号公報  特許文献８  実開昭６１−１３１７５７号公報  特許文献９  実開昭５８−２１２７３０号公報  特許文献１０  実開昭６０−０２８８５５号公報  特許文献１１  実開昭６２−１１１３６２号公報  特許文献１２  実開昭６３−１４３１５０号公報  特許文献１３  実開昭６４−０４１２５７号公報  特許文献１４  特開平０６−０１４６７１号公報
【発明が解決しようとする課題】
【００１４】  本発明は、仔豚を母豚の足元から退避させる場合に、風吹出口からの風が仔豚補助室側へ拡散されることなく、または風が母豚の前足及び後足にあたって仔豚補助室側へ飛散されることもなく、仔豚は仔豚授乳育成補助室において風を受けることなく風によるストレスを回避できるようにする。そして、風吹出口位置での風速を１５ｍ／秒以上、豚棒後部では１ｍ／秒以上でとして、母豚の前足間及び後足間を直線状に貫通させるようにする。そのため、母豚の左右動を規制して、母豚の前足間及び後足間の幅を常時一定に保持する。更に、母豚の豚房内での前後動を尻止調整具により規制すると共に、母豚の犬座状態において母豚の後足と脇腹内に風を送風して、その部分に集まる仔豚の圧死自己を防止するようにした母豚による破損を生じることのない子豚圧死防止装置付分娩豚房を提供することを課題とする。
【課題を解決する手段】
【００１５】  請求項１の発明は、母豚を飼育する分娩豚房と、その左右側又は一側に設けた子豚授乳育成補助室と、前記分娩豚房の前部中央に設けて分娩豚房の中央ラインに沿って後方へ送風するように設けた風吹出口と、起立姿勢における母豚の左右動作を規制して中央ラインをまたぐ母豚の前足間と後足間の幅を一定に確保するように母豚体側に沿って近接させた左右分娩豚房枠とから構成され、前記風吹出口からの風が仔豚授乳育成補助室へ拡散しないよう分娩豚房の中央ラインに沿う前記母豚の前足間及び後足間に直線状に貫通させるように風吹出口位置での風速を１５ｍ／秒以上、豚棒後部では１ｍ／秒以上でとした子豚圧死防止装置付分娩豚房を提供するものである。
【００１６】  この発明においては、母豚の足元に風を送って仔豚の圧死を防止するにあたり、風が仔豚授乳育成補助室へ拡散して、仔豚は仔豚授乳育成補助室において風を受けることないので、子豚は風によるストレスを回避することができる。また、風の風速を風吹出口位置での風速が１５ｍ／秒以上、豚棒後部では１ｍ／秒以上としたので、風を母豚の前足間及び後足間へ直線状に貫通させることができ、風が母豚の前足及び後足にあたって仔豚授乳育成補助室へ拡散されない。更に、起立姿勢における母豚の左右動作を規制して母豚の前足間と後足間の幅を一定に確保するように母豚体側に沿って近接させた左右分娩豚房枠を設けているので、風吹出口からの風を母豚の前足間及び後足間へ直線状に貫通させることができる。
【００１７】  請求項２の発明は、各種母豚の体長に合わせて分娩豚房内での母豚の前後動作を規制する尻止調整具を設けると共に、母豚の犬座時の前足と後足の上方範囲であって、起立時の母豚体の上下水平中心線の範囲内であって母豚の伏臥状態の背のラインより上部の水平方向に対してセンサーの感知ラインを設定するようにした請求項１に記載の子豚圧死防止装置付分娩豚房を提供するものである。
範囲内水平方向に
【００１８】  この発明においては、尻止調整具により分娩豚房枠後方において母豚の前後動作を常時一定に規制すると共に、母豚の犬座時の前足と後足の上方範囲であって、起立時の母豚体の上下水平中心線の範囲内の水平方向に対してセンサーの感知ラインを設定するようにして、母豚の犬座状態において母豚の後足と脇腹内に風を送風して、その部分に集まる仔豚の圧死自己を防止することができる。
【発明を実施するための形態】
【００１９】  次に、本発明の一実施例を図面に基づき詳細に説明する。図１及び図２は、子豚圧死防止装置付分娩豚房１の平面図及び側面図を示している。
【００２０】  分娩豚房１は、脚２をもって地面３より適宜高さに支持された金網製の水平な床４と、平面が前後方向（図１の上方が前方）に長い直方形を成すように、床４上に立設された母豚Ａ収容用の内柵５、８・・・、８ａ、８ａによって分娩室Ｏを構成し、分娩室Ｏの両側に連続するように床４上に立設された平面直方形の仔豚Ｂ収容用の外柵６によって仔豚授乳育成補助室Ｐを構成している。
【００２１】  また、図１、図２、図４、図５に示す如く、中央水平な分娩豚房枠８ａ、８ａの左右幅Ｑ及び高さＳは、母豚Ａの体幅Ｑ‘及び上下水平中心線Ｒの高さＳ’に略近似するように設計しており、左右の分娩豚房枠８ａ、８ａで母豚の起立姿勢状態の左右動作を規制すると共に、図３に示すように、母豚Ａが起立した状態で母豚Ａの前足Ａ１、Ａ１と後足Ａ２，Ａ２との位置及び前足Ａ１、Ａ１の間と、後足Ａ２、Ａ２の間との幅Ｘ、Ｙ（通常約１５ｃｍ〜２０ｃｍ）を常時略一定に確保するようにしている。上記分娩豚房枠８ａ、８ａは母豚の体幅Ｑ’に常時接触しなければならないほど正確な幅でなくても、上記は母豚の起立時の前足及び後足の幅Ｘ、Ｙが略確保できる程度でよい。
【００２２】  下段の分娩豚房枠８、８は、適数個の傾斜状仕切扞９を適宜の間隔を持って形成している。この傾斜状仕切扞９は母豚が伏臥したときに乳房のある腹部がこの傾斜に沿うようになり仔豚は乳を吸いやすくなる（写真４参照）。この仕切扞９が垂直であると腹部に垂直方向から当接して腹部が自然傾斜した形にならない。下段の分娩豚房枠８、８と仕切扞９を設けることにより、仔豚Ｂ・・・は分娩豚房枠８、８内の分娩室Ｏと仔豚授乳育成補助室Ｐとを自由に行き来できる。
【００２３】  分娩室０の前面には、取手１０を備える餌箱１１が着脱自在に装着され、また、落とし込み式のゲート１２が上方へ引き抜き可能に装着されている。
【００２４】  分娩室０の略中央であって、かつ餌箱１１の下方には、分娩豚房枠８ａ、８ａと平行な筒状風吹出口１３が固定され、この筒状風吹出口１３は着脱自在な蛇腹管１４を介して適宜箇所（内柵や外柵等）に架設可能なブロア１５に接続されている（写真１、２参照）。この筒状風吹出口１３は直線状の風を得るために内径（直径）が１〜１０ｃｍ、好ましくは３〜８ｃｍ、長さが１０〜５０ｃｍ、好ましくは２０〜３０ｃｍの筒状としている。
【００２５】  このようにして、筒状風吹出口１３に対し、蛇腹管１４とブロア１５とにより、母豚Ａの足元に風を送る送風手段１６を分娩豚房１に着脱自在に構成している。これにより、複数の分娩豚房１・・・において、送風手段が必要な豚房のみに自由に移設するこができ、全ての分娩豚房１・・・に送風手段１６・・・を常設する必要がなく、送風手段の設備費用が節減できる。
【００２６】  図２及び図４〜７に示すように、１７はセンサーであって、母豚Ａが起立又は犬座したことを検知して送風手段１６の送風をオンにし、母豚Ａが伏臥したことを検知して送風手段１６の送風をオフとさせるものである。このセンサー１７は、図４に示すように、母豚Ａの犬座時の前足Ａ１、Ａ１と後足Ａ２、Ａ２の上方範囲Ｆであって、起立時の母豚体の上下水平中心線Ｒの範囲領域Ｖ（中心線範囲幅約１５ｃｍ）の水平方向であって母豚Ａの伏臥状態の背のラインＵより上部に対してセンサーの感知ラインＬ（図１）を設定するようにしている。この時、図５に示す如く、センサー１７の感知ラインＬが母豚Ａの上下水平中心線Ｒの水平方向にあるときは母豚Ａの略垂直な横腹に直角にあるため誤動作しない。ところが、図６に示す如く、センサー１７の感知ラインＬ‘が母豚Ａの背又は腹の傾斜面に対するときは感知ラインが他方へ反射して頻繁に誤動作する。このように、母豚の起立状態のみならず、犬座状態においても誤動作なくこれを検知して送風手段１６の送風をオンにすることができ、母豚の犬座状態において母豚の後足と脇腹内に風を送風して、その部分に集まる仔豚の圧死自己を防止することができる。
【００２７】  また、尻止調整具１９（写真５、６参照）を矢印方向〔図１、２〕に調整することにより分娩豚房枠８ａ、８ａ後方において母豚Ａの前後動作を常時一定に規制して、体長の異なる母豚Ａの伏臥及び犬座時におけるセンサーの感知ラインＬを正確に設定できることにより検知位置を確実にする。そして、母豚Ａの伏臥状態（写真４参照）において誤動作なく風吹出口からの風をオフにし、起立状態（写真３、６参照）及び犬座状態（写真５参照）においても、誤動作なく風吹出口からの風の送風をオンにすることができる。
【００２８】  次に、この実施例の作用について説明する。メインスイッチ（図示省略）をオンにしたとき母豚Ａが起立若しくは犬座していると、センサー１７がそれを検知し、ブロア１５が作動して風吹出口１３より風が母豚Ａの足元へ送風される。
【００２９】  この際、風吹出口１３はから出た風の方向は、図３に示されるように、分娩豚房１の中央ラインＣに沿って、かつ母豚Ａの前足Ａ１、Ａ１の間及び後足Ａ２、Ａ２の間を通って後方へ直線状（斜線範囲Ｊで示す）となる。しかしながら、風吹出口１３からの風速が弱いと風が仔豚授乳育成補助室Ｐ側へ拡散するか、または風が母豚の前足Ａ１、Ａ１及び後足Ａ２、Ａ２にあたって仔豚授乳育成補助室Ｐへ飛散（仮想線Ｋ・・・で示す）する。仔豚はこの風を回避することができず、仔豚用保温室１８へ逃げ込むか、逃げ場がない場合は、仔豚授乳育成補助室Ｐにおいて風を受けたまま放置される。
【００３０】  したがって、風吹出口１３からの風の風速を風吹出口位置での風速を２０ｍ／秒以上、豚房後端で１ｍ／秒以上にすることにより前足間及び後足間で風の直線状傾斜線領域Ｊを維持することができ、風吹出口からの風が仔豚授乳育成補助室Ｐへ拡散することなく、風が母豚Ａの前足Ａ１、Ａ１及び後足Ａ２、Ａ２に当たって仔豚授乳育成補助室Ｐへ飛散しない。風吹出口位置での風の風速は１５〜５０ｍ／秒の範囲が好ましい。１５ｍ／秒より弱いと、風が仔豚授乳育成補助室Ｐへ拡散されるか、または風が母豚の前足Ａ１、Ａ１及び後足Ａ２、Ａ２にあたって仔豚授乳育成補助室Ｐへ飛散される。また、５０ｍ／秒より強いと母豚Ａの腹に刺激が強くなり過ぎる。
【００３１】  第１表及び第２表は、風により母豚の足元より仔豚が退避した最適な実施例であり、図８における分娩豚房１の中央ラインＣにおける直線に沿った各位置▲１▼〜▲８▼及び仔豚授乳育成補助室Ｐの各位置（Ａ）〜（Ｆ）における風速を測定した結果である。これらの結果を第１表及び第２表に示す。各々（ａ）は母豚のいない状態、（ｂ）は分娩豚房、（ｃ）は他の分娩豚房における各位置の風速（ｍ／秒）を示す。
【００３２】
2011055822.tif 000019
【００３３】  使用される分娩豚房の長さは２１０ｃｍで、第１表の結果から、風噴出口位置での風速は２５〜２７ｍ／秒であり、この風噴出口位置での風速は１５〜５０ｍ／秒が許容できるものと考えられる。この風噴出口位置での風速が１５ｍ／秒未満となると仔豚の集まる位置▲４▼〜▲６▼（風噴出口位置から１００〜１８０ｃｍ）での風速が１ｍ／秒未満になり易く、仔豚Ｂが退避せず、風噴出口位置での風速が５０ｍ／秒を超えると仔豚の集まる位置▲４▼〜▲６▼での風速が１０ｍ／秒を超え、風速が必要以上に速くなりすぎて無駄な電力を消費する。この実験で仔豚Ｂ・・・の集まる母豚Ａの腹部▲４▼〜▲６▼あたりの風速は現実的には約２〜７ｍ／秒であり、仔豚Ｂ・・・が退避するのに適切な風速であると考えられる。仔豚の集まる位置▲４▼〜▲６▼では３〜６ｍ／秒程度がより適切であると考えられるが、本発明におけるこの位置▲４▼〜▲６▼での風速は１〜１０ｍ／秒まで許容できるものと考えられる。１ｍ／秒未満では風速が弱すぎて仔豚は退避せず、風速が１０ｍ／秒を超えると風速が必要以上に速くなりすぎて無駄な電力を消費する。
【００３４】
2011055822.tif 000020
【００３５】  第２表の結果から、風噴出口位置に相当する仔豚授乳育成補助室Ｐでは、風が分娩豚房１の中央ラインＣに沿って直線状であるため０ｍ／秒で、風の影響は殆どない。仔豚授乳育成補助室Ｐの母豚体長中央あたりの風速は０．２ｍ／秒〜０．３ｍ／秒程度で、仔豚にはあまり影響はないものと考えられる。分娩豚房最後端０．５ｍ／秒〜０．８ｍ／秒程度であっても、仔豚はそこに殆どいることはないためこの風の影響はない。
【００３６】  尚、風吹出口１３からの風の温度は通常常温であるが、寒い冬季などでは約１８℃〜３２℃に温度調整装置により調整した風を送風することにより、母豚Ａの授乳活動や冷え腹帽子に配慮することもできる。
【００３７】  また、尻止調整具１９（写真５、６参照）により分娩豚房１の後方（母豚の尻部）で、各種体長の異なる母豚の前後動作を常時一定に規制して、母豚Ａの起立及び犬座時、一定位置のセンサー１７により確実に検知する。尻止調整具１９は母豚Ａの体長に合わせて、センサー１７との距離を矢印方向に調整するものであるが、通常センサー１７と尻止調整具１９との距離Ｚは約３０〜８０ｃｍである。好ましくは４０〜６０ｃｍである。尚、尻止調整具１９を母豚Ａの尻部に近接させていても、母豚Ａが餌箱１１に頭を突っ込んでいる時は尻止調整具１９と尻部とは頭分だけ離れているが、餌箱１１に頭を突っ込んだまま伏臥又は犬座することはできないのでこの分でセンサー位置が変化することはない。
【発明の効果】
【００３８】  本発明においては、母豚の足元に風を送って仔豚の圧死を防止するにあたり、風吹出口位置での風速を１５ｍ／秒以上、豚棒後部では１ｍ／秒以上でとしたので、風を母豚の前足間及び後足間へ直線状に貫通させることができ、風が仔豚授乳育成補助室へ拡散したり、風が母豚の前足及び後足にあたって仔豚授乳育成補助室へ拡散されない。したがって、仔豚は仔豚授乳育成補助室において風の影響を受けることないので、子豚は風によるストレスを回避することができる。更に、起立姿勢における母豚の左右動作を規制して母豚の前足間と後足間の幅を一定に確保するように母豚体側に沿って近接させた左右分娩豚房枠を設けているので、風吹出口からの風を母豚の前足間及び後足間へ直線状に貫通させることができる。
【００３９】  また、尻止調整具により分娩豚房枠後方において母豚の前後動作を常時一定に規制すると共に、母豚の犬座時の前足と後足の上方範囲であって、起立時の母豚体の上下水平中心線の範囲内の水平方向に対してセンサーの感知ラインを設定するようにしたので、母豚の犬座状態において母豚の後足と脇腹内に風を送風して、その部分に集まる仔豚の圧死自己を防止することができる。
【図面の簡単な説明】
【００４０】
【図１】  本発明の一実施例を示す分娩豚房の平面図
【図２】  図１のＩＩ−ＩＩ線概略断面図
【図３】  風吹出口からの風の方向を示す説明図
【図４】  起伏時と犬座時におけるセンサー位置の説明図
【図５】  中央水平な分娩豚房枠幅と母豚の体幅を示す説明図
【図６】  センサーの感知ラインが母豚の横腹に直角である説明図
【図７】  センサーの感知ラインが母豚の背又は腹の傾斜面にある説明図
【図８】  分娩室及び仔豚授乳育成補助室の風速測定位置を示す説明図
【符号の説明】
【００４１】  １          分娩豚房
８ａ、８ａ  分娩豚房枠
１３          風吹出口
１９          尻止調整具
Ａ            母豚
Ｂ・・・      仔豚
Ａ１、Ａ１    前足
Ａ２、Ａ２    後足
Ｃ            中央ライン
Ｊ            直線状傾斜線範囲
Ｘ            前足幅
Ｙ            後足幅
Ｌ            センサーの感知ライン
Ｆ            犬座時の前足と後足の上方範囲
Ｐ            仔豚授乳育成補助室
Ｓ            分娩豚房枠の高さ
Ｒ            母豚の上下水平中心線
Ｔ            母豚体の起立時の上下水平中心線の範囲領域
Ｕ            伏臥状態の母豚の背のライン
Ｖ            起立時の母豚体の上下水平中心線の範囲領域
【手続補正３】
【補正対象書類名】図面
【補正対象項目名】全図
【補正方法】変更
【補正の内容】
【図１】
2011055822.tif 000021
【図２】
2011055822.tif 000022
【図３】
2011055822.tif 000023
【図４】
2011055822.tif 000024
【図５】
2011055822.tif 000025
【図６】
2011055822.tif 000026
【図７】
2011055822.tif 000027
【図８】
2011055822.tif 000028